(57)【要約】【課題】  ネットワークを介して接続した複数の録画機器で同じ番組を録画することにより、ディスク容量の圧迫を防止する。【解決手段】  自動録画予約設定部の生成した録画予約情報が、すでに録画予約情報テーブルに存在する場合には該録画予約情報を該重複録画情報テーブルに登録する。ネットワークを介して接続した他の録画装置が重複録画情報テーブルに登録した該録画予約情報を取消した場合には、録画予約管理部は該録画予約情報を録画予約テーブルに格納し、録画制御部は録画予約情報テーブルに基づき録画を実行する。また、重複録画情報テーブルに登録された録画予約情報がネットワークを介して接続された録画装置で実行された場合、該録画予約情報をコンテンツ情報テーブルの固有ディレクトリで管理する。【選択図】図２
2009111539.tif 000002
【特許請求の範囲】
【請求項１】
放送波を受信して放送番組を記録する録画装置であって、
ネットワークを介して他の録画装置と通信をおこなうネットワーク送受信部と、
放送番組を記録するコンテンツデータ格納部と、
前記コンテンツデータ格納部に記録する放送番組名と放送チャンネルと記録日時と録画装置名を含む録画予約情報テーブルを記録する記憶部と、
前記録画予約情報テーブルを参照し、前記録画予約情報テーブルの録画装置名が当該録画装置をしめす録画予約情報に基づいて、前記コンテンツデータ格納部に放送番組の記録をおこなう録画制御部と、
ユーザが指定した録画予約情報と前記ネットワーク送受信部を介して取得した他の録画装置の録画予約情報から前記録画予約情報テーブルを設定する録画予約管理部と、を備えたことを特徴とする録画装置。
【請求項２】
請求項１に記載の録画装置において、
前記録画予約管理部は、前記ユーザが指定した録画予約情報が前記録画予約情報テーブルに設定されていない場合に、前記ユーザが指定した録画予約情報を前記録画予約情報テーブルに登録し、前記ネットワーク送受信部を介して取得した他の録画装置の録画予約情報と前記録画予約情報テーブルを照合して、録画予約情報が重複する場合には、前記録画予約情報をネットワークに接続する他の録画装置で録画されるように前記録画予約情報テーブルを更新することを特徴とする録画装置。
【請求項３】
請求項１に記載の録画装置において、さらに、
当該録画装置の録画予約情報がネットワークに接続された他の録画装置の録画予約情報に重複している番組を記録する録画情報テーブルを有し、
前記録画予約管理部は、前記ユーザが指定した録画予約情報が前記録画予約情報テーブルに設定されていない場合に、前記ユーザが指定した録画予約情報を前記録画予約情報テーブルに登録し、前記ユーザが指定した録画予約情報が前記録画予約情報テーブルに設定されている場合に、前記ユーザが指定した録画予約情報を前記重複録画テーブルに登録し、前記ユーザが指定した録画予約情報が前記ネットワーク送受信部を介して取得した他の録画装置の録画予約情報に重複する場合には、前記録画予約情報をネットワークに接続する他の録画装置で録画されるように前記録画予約情報テーブルを更新するとともに、前記ユーザが指定した録画予約情報を前記重複録画テーブルに登録することを特徴とする録画装置。
【請求項４】
請求項３に記載の録画装置において、
前記録画予約管理部は、予約録画をおこなう前に、前記録画予約情報テーブルと前記重複録画テーブルを照合し、前記重複録画テーブルの録画番組で、前記録画予約情報テーブルに記録されていない録画番組について、録画予約情報を前記重複録画テーブルから前記録画予約情報テーブルに移動することを特徴とする録画装置。
【請求項５】
複数の録画装置がネットワークを介して接続される録画システムにおいて、
ユーザにより第１の録画装置で録画予約されたときに、第１の録画装置は、第２の録画装置に録画予約情報の取得要求をおこない、
前記第２の録画装置は、当該装置の録画予約情報を第１の録画装置に応答し、前記第１の録画装置は、当該装置の録画予約情報と取得した前記第２の録画装置に録画予約情報を照合し、重複した録画番組については前記第２の録画装置で録画がおこなうことをしめすように当該装置の録画予約情報テーブルを更新することを特徴とする録画システム。
【発明の詳細な説明】
【技術分野】
【０００１】
本発明は、複数の録画装置がネットワーク接続する録画システムに係り、特に、複数の録画装置でおこなわれる録画予約の管理方法に関する。
【背景技術】
【０００２】
近年、テレビ、レコーダ等の複数の映像装置がネットワークを介して接続され、レコーダに記録された映像をネットワークを介してテレビで視聴できるシステムが製品化されてきている。このようなシステムでは、ネットワークに複数のレコーダが接続される場合もあり、別のユーザによりレコーダのそれぞれで個別に同一の放送映像の録画予約が行われている。この結果、レコーダに同一の放送映像が記録され、レコーダの記憶装置の有効利用されないという問題がある。
【０００３】
上記の問題に対して、ネットワークを介して接続した複数の録画装置から構成されるシステムにおいて、同じ番組を複数の録画装置で録画することすることを防ぎ、記録媒体の利用効率を向上させるシステムに関する技術が、特許文献１に記載されている。
【０００４】
詳しくは、特許文献１には、複数の録画機器をネットワークを介して複数の録画装置を接続し、複数の録画装置で同一番組の録画予約がなされた場合に、録画予約されたレコーダから他のレコーダに、すでに同一番組が録画予約されているか否かをデイジーチェーン方式で問合せをおこない、他のレコーダで既に予約済みであるときには、当該レコーダには、録画予約済のレコーダのリンク情報を記録することが開示されている。
【０００５】
【特許文献１】特開２００４−２２２０１４号公報
【発明の開示】
【発明が解決しようとする課題】
【０００６】
しかし、特許文献１に記載されている技術では、一つの番組のを録画するを行う際、ネットワークを介して接続した複数の録画機器が録画予約のデイジーチェーンを形成するため、例えば、システムを構成する際、録画機器はそれぞれ独自の録画予約テーブル、もしくはそれに準じる仕組みが必要となり、他社製品と連携して録画予約を行うことが困難となる可能性がある。
【０００７】
また、番組の録画をおこなう録画機器で録画予約が変更された場合について考慮されておらず、他のユーザにより行われ録画予約による番組録画が実施されない可能性がある。
【０００８】
本発明は、上記課題に鑑みて為されたものであり、その目的は、ネットワークを介して接続する複数の録画装置間で、共通のプロトコル、例えばDLNAガイドラインで規定されたプロトコルを用いて録画予約情報の統一管理をおこない、録画装置の記憶装置の有効利用を図るとともに、操作性のよい録画システムや録画装置を提供することにある。
【課題を解決するための手段】
【０００９】
本発明の録画装置は、ネットワークを介して他の録画装置と通信をおこなうネットワーク送受信部と、放送番組を記録するコンテンツデータ格納部と、前記コンテンツデータ格納部に記録する放送番組名と放送チャンネルと記録日時と録画装置名を含む録画予約情報テーブルを記録する記憶部と、前記録画予約情報テーブルを参照し、前記録画予約情報テーブルの録画装置名が当該録画装置をしめす録画予約情報に基づいて、前記コンテンツデータ格納部に放送番組の記録をおこなう録画制御部と、ユーザが指定した録画予約情報と前記ネットワーク送受信部を介して取得した他の録画装置の録画予約情報から前記録画予約情報テーブルを設定する録画予約管理部とを備えた構成とした。
【００１０】
そして、前記録画予約管理部は、前記ユーザが指定した録画予約情報が前記録画予約情報テーブルに設定されていない場合に、前記ユーザが指定した録画予約情報を前記録画予約情報テーブルに登録し、前記ネットワーク送受信部を介して取得した他の録画装置の録画予約情報と前記録画予約情報テーブルを照合して、録画予約情報が重複する場合には、
前記録画予約情報をネットワークに接続する他の録画装置で録画されるように前記録画予約情報テーブルを更新するようにした。
【００１１】
また、本発明の録画システムでは、ユーザにより第１の録画装置で録画予約されたときに、第１の録画装置は、第２の録画装置に録画予約情報の取得要求をおこない、前記第２の録画装置は、当該装置の録画予約情報を第１の録画装置に応答し、前記第１の録画装置は、当該装置の録画予約情報と取得した前記第２の録画装置に録画予約情報を照合し、重複した録画番組については前記第２の録画装置で録画がおこなうことをしめすように当該装置の録画予約情報テーブルを更新するようにした。
【発明の効果】
【００１２】
本発明によれば、ネットワークに接続された複数の録画装置のいずれかひとつで番組録画が行われ、録画予約をおこなった録画装置や再生装置で、録画予約した番組の再生要求をおこなって際に、実際に番組録画をおこなった録画装置から自動的に番組映像を転送して再生できるので、複数の録画装置の記録装置の有効利用を図ることができる。
【００１３】
また、録画予約が変更になった場合でも、自動的に番組録画をおこなう録画装置が変更されるため、番組録画を確実におこなうとともに、録画予約番組の再生視聴と同様の操作感を提供することができる。
【発明を実施するための最良の形態】
【００１４】
以下本発明の実施例を詳細に説明する。
【実施例１】
【００１５】
図１は、本発明の第1の実施例の録画装置の構成図である。詳細は後述するが、録画装置１は、チューナ１０１、番組情報取得部１０２、キーワード情報テーブル１０３、自動録画予約設定部１０４、録画予約管理部１０５、録画予約情報テーブル１０６、録画制御部１０７、選局制御部１０８、コンテンツ情報管理部１０９、コンテンツ情報テーブル１１０、コンテンツデータ格納部１１１、ネットワーク送受信部１１２から構成される。
【００１６】
図３は、本発明の録画システムのシステム構成図である。録画装置１、録画装置２、録画装置３、表示装置４がネットワーク５を介して接続され、番組映像のシステム内で共用できるようにしている。録画装置１には表示装置６が接続され、録画装置１に記憶している番組映像を表示装置６で再生表示を行えるとともに、ネットワークを介して録画装置２や録画装置３に記憶している番組映像を表示装置６で再生表示できる。
【００１７】
また、表示装置４は、直接ネットワーク５に接続され、録画装置１や録画装置２や録画装置３に記録されている番組映像を表示装置４で再生表示する。録画装置と表示装置の録画予約情報とコンテンツ情報の送受信は、例えばDLNAガイドラインの構成要素の一つであるUPnP Device Architectureで規定されたUPnPサービス等によりおこなう。
【００１８】
以下に、録画装置１の構成を詳細に説明する。
チューナ１０１は、選局制御部１０８の指示に基づいて放送チャンネルを設定し、放送情報を受信する。この放送情報には放送番組であるコンテンツデータや放送番組の番組情報が含まれ、前記番組情報に基づいて後述する録画予約機能により、受信したコンテンツデータをコンテンツデータ格納部１１１に記録される。
【００１９】
つぎに、録画予約の概要と番組録画について説明する。
図１により自動録画予約設定部１０４を詳細に説明する。自動録画予約設定部１０４は、番組情報取得部１０２がチューナ１０１を制御して取得した番組情報と、予めユーザが録画予約対象とする番組のキーワードを設定したキーワード情報テーブル１０３を参照して、番組情報にキーワードが含まれる番組を録画対象として録画予約情報を生成する。この録画予約情報は、録画予約管理部１０５により、録画予約情報テーブル１０６に登録に記録する。
【００２０】
図８に、録画予約情報テーブル１０６の一例を示す。録画予約情報テーブル１０６は、録画予約日付１６０１、録画開始・終了時間１６０２、番組名１６０３、録画チャンネル１６０４、録画装置１６０５の項目から構成され、録画制御部１０７により参照される。ここで、録画装置１６０５の項目は、ネットワーク上で装置が特定できる情報であればよく、例えば、UDN（Universal Device Name）を記録する。
【００２１】
録画制御部１０７は、録画予約情報テーブル１０６の録画装置１６０５が当該録画装置をしめす録画予約情報について、録画予約日付１６０１、録画開始・終了時間１６０２に設定されている日時になると、録画予約情報テーブル１０６の録画チャンネル１６０４に設定されているチャンネル番号を選局制御部１０８に通知し、録画予約された番組の受信を開始する。受信した番組のコンテンツデータは、上述のとおり、コンテンツデータ格納部１１１に記録される。
【００２２】
このとき、コンテンツデータ情報テーブル１１０も設定される。図１０に、コンテンツデータ情報テーブル１１０の一例を示す。コンテンツデータ情報テーブル１１０は、オブジェクトID１９０１、タイトル１９０２、オブジェクト種別１９０３、親オブジェクトID１９０４、コンテンツ格納ディレクトリ１９０５、オブジェクト作成時刻１９０６、UDN１９０７の項目から構成され、コンテンツデータ格納部１１１に記録されているコンテンツデータの管理をおこなえるようにしている。
【００２３】
詳しくは、オブジェクトID１９０１、タイトル１９０２、オブジェクト種別１９０３、親オブジェクトID１９０４は、コンテンツの種別情報であり、オブジェクト作成時刻１９０６はコンテンツの時刻情報を示し、コンテンツ格納ディレクトリ１９０５、UDN１９０７は、コンテンツの記録場所を示している。
【００２４】
ここで、UDN１９０７は、UPnP デバイスに付与される一意なデバイス識別子であるUDN（Universal Device Name）に限定したものではなく、ネットワークに接続されている録画装置を特定できる情報であればよい。
【００２５】
また、キーワードによる自動録画予約設定部１０４の例を説明したが、番組情報取得部１０２で取得される番組情報をユーザが指定することで、録画番組を指定して録画予約情報テーブル１０６に設定する場合も同様の予約録画をおこなえる。
【００２６】
つぎに本発明の第1の実施例の録画予約管理部１０５についてより詳細に説明する。上述のとおり、放送番組の予約録画は、録画予約情報テーブル１０６の設定によりおこなわれ、新たに録画予約情報が生成された時には、録画予約情報と同じ情報がすでに録画予約情報テーブル１０６に存在する場合、録画予約情報を録画予約情報テーブル１０６に登録せず、存在しない場合は録画予約情報テーブル１０６に登録する。
【００２７】
さらに、本発明の実施例１の録画装置１は、ネットワークに接続している録画装置２や録画装置３と、図４に示すフローに従い連携して録画予約する。図４は、録画予約管理部１０５の処理の流れを示した図である。
【００２８】
録画装置１で録画予約情報が設定されると、録画装置１のネットワーク送受信部１１２を介して、ネットワークを介して接続した録画装置２と録画装置３の録画予約情報のリストを取得する(８０１)。録画装置１の設定予定の録画予約情報と、録画装置２と録画装置３の録画予約情報が重複しているかチェックし(８０２)、重複が存在する場合は録画装置１の録画予約情報テーブル１０６から本録画装置の重複した録画予約情報を削除する(８０３)。そして、録画装置２と録画装置３から取得した録画予約情報のリストを録画予約情報テーブル１０６に反映する(８０４)。重複が存在しない場合は取得した録画予約情報のリストを録画予約情報テーブル１０６に反映する(８０４)。
【００２９】
このようにして、録画予約情報テーブル１０６には、ネットワークに接続する録画装置１と録画装置２と録画装置３の録画予約情報が記録され、重複して録画予約されることがない。実際に予約録画がおこなわれる録画装置は、録画予約情報テーブル１０６の録画装置１６０５の項目で識別される。
【００３０】
上記では、録画装置１で録画予約情報が設定される場合について説明したが、録画装置２あるいは録画装置３で録画予約情報が設定された場合には、録画装置１は、録画装置２あるいは録画装置３からの録画予約情報の取得要求に対して、録画予約情報テーブル１０６の内容を取得要求のあった録画装置２あるいは録画装置３に送付する。
【００３１】
上記のようにネットワークに接続された録画装置間で、録画予約情報テーブル１０６の内容を送受信するには、UPnP デバイスのContentDirectoryサービスのコンテンツ一覧機能を利用すればよい。
【００３２】
図１１に、本発明の実施例の録画システムにおける録画装置間のシーケンスを示す。上述したように、録画装置１で録画予約をおこなった場合の例を示している。録画装置１で録画予約情報が設定されると、録画装置１の録画予約情報テーブル１０６に既に設定済でないか重複チェックをおこなう。つぎに、録画装置２と録画装置３から録画予約情報テーブルを取得して、既に設定済でないか重複チェックをおこない、取得して録画予約情報により録画予約情報テーブル１０６を更新する。
【００３３】
このように、録画装置２と録画装置３から取得した録画予約情報により録画予約情報テーブル１０６を更新することにより、録画装置２や録画装置３と接続できなかった場合でも、直近の録画予約情報を把握できるので、録画予約の重複防止に効果がある。
【実施例２】
【００３４】
つぎに、本願発明の他の実施例について説明する。この第２の実施例では、ネットワークに接続された他の録画装置でおこなわれた録画予約状況が変更された場合の対応例について説明する。図２は、この第２の実施例の録画装置の構成図である。
【００３５】
前述の第1の実施例の録画装置の構成とは、第２の実施例の録画装置が重複録画情報テーブル２１２をもつ点が異なり、他の構成は、図１の第１の実施例の録画装置と同一のため説明は省略する。以下に、重複録画情報テーブル２１２に関係する内容のみ記述する。
【００３６】
重複録画情報テーブル２１２には、実施例の録画装置で録画予約をおこなったときに、ネットワークに接続する他の録画装置の録画予約情報と重複があった場合に、本実施例の録画装置の録画予約情報を記録するようにしている。図９に、重複録画情報テーブル２１２の一例を示す。
【００３７】
重複録画情報テーブル２１２は、録画予約日付１７０１、録画開始・終了時間１７０２、番組名１７０３、録画チャンネル１７０４、録画装置１７０５の項目から構成される。これらの構成は、図８に説明した録画予約テーブル１０６と同じ構成となっている。このため、本実施例のように、録画予約テーブル１０６と重複録画情報テーブル２１２を別のテーブルとして管理する方法だけでなく、テーブルに識別項目を設けて管理するようにしてもよい。
【００３８】
図５、図６のフローチャートにより、録画予約管理部２０５が処理する重複録画情報テーブル２１２の使用方法を詳細に説明する。自動録画予約設定部２０４から録画予約情報を取得した場合(９０１)、録画予約情報テーブル２０６を参照して、同一番組の録画予約情報の有無をチェックする(９０２)。この結果、該録画予約情報がすでに存在する場合には、重複録画情報テーブル２１２に該録画予約情報を登録し(９０３)、存在しない場合は録画予約情報テーブル２０６に該録画予約情報を登録する(９０４)。
【００３９】
つぎに、ネットワークを介して接続した他の録画装置から録画予約情報のリストを取得した場合(１００１)、本録画装置が実行予定の録画予約情報と重複しているかチェックする(１００２)。重複が存在する場合には、録画予約情報テーブル２０６から本録画装置の重複した該録画予約情報を削除し(１００３)、重複録画情報テーブル２１２に該録画予約情報を登録し(１００４)、取得した録画予約情報のリストを録画予約情報テーブル２０６に反映する(１００５)。存在しない場合には、取得した録画予約情報のリストを録画予約情報テーブル２０６に反映する(１００５)。
【００４０】
その後、重複録画情報テーブル２１２の録画予約情報が録画予約情報テーブル２０６に存在するかチェックする(１００６)。存在しない場合には、重複録画情報テーブル２１２から録画予約情報テーブル２０６に存在しない録画予約情報を削除し(１００７)、削除した該録画予約情報を録画予約情報テーブル２０６に登録する(１００８)。存在する場合は処理を終了する。
【００４１】
以上説明した実施例によれば、本録画装置の録画予約情報と重複する他の録画装置の該録画予約情報が取消された場合は、本録画装置が代わりに録画予約を実行することが可能となる。
【実施例３】
【００４２】
つぎに、本願発明の他の実施例について説明する。この第３の実施例では、ネットワー
クに接続された他の録画装置のコンテンツ情報が変更された変更された場合の対応例について説明する。この第３の実施例の録画装置の構成は、図２の録画装置と同じ構成により実施されるが、コンテンツ情報テーブル１１０を図１０に示すように構成する。
【００４３】
詳しくは、図１０のコンテンツ情報テーブル３１０は、オブジェクトID１９０１、タイトル１９０２、オブジェクト種別１９０３、親オブジェクトID１９０４、コンテンツ格納ディレクトリ１９０５、オブジェクト作成時刻１９０６、UDN１９０７から構成する。
【００４４】
そして、コンテンツ情報管理部１０９は、ネットワークを介して接続された他の録画装置のコンテンツ情報が変更されたとき、ネットワーク送受信部１１３を介してコンテンツ情報リストを受信し、該コンテンツ情報リストが重複録画情報テーブル２１２に登録された録画予約情報と一致するコンテンツ情報を含む場合、コンテンツ情報テーブル１１０の固有ディレクトリに該コンテンツ情報を格納し、存在しない場合は処理を終了する。
【００４５】
つぎに、図７により、コンテンツ情報管理部１０９の処理を詳細に説明する。コンテンツ情報管理部１０９は、ネットワーク送受信部からコンテンツ情報リストを取得し(１３０１)、該コンテンツ情報リストが重複録画テーブル３１２に登録された録画予約情報と一致するコンテンツ情報を含むかどうか判定する(１３０２)。一致するコンテンツ情報が存在する場合は、コンテンツ情報テーブル３１０の固有ディレクトリに該コンテンツ情報を格納する(１３０３)。一致するコンテンツ情報が存在しない場合には、コンテンツ情報管理部１０９の処理を終了する。
【００４６】
以上説明した実施例によれば、本自動録画装置の録画予約情報が重複し、他の録画装置で実行された該録画予約情報のコンテンツ情報を固有のディレクトリで管理し、コンテンツ検索を容易にすることが可能となる。
【図面の簡単な説明】
【００４７】
【図１】本発明の第１の実施例の録画装置を示した図である。
【図２】本発明の第２あるいは第３の実施例の録画装置を示した図である。
【図３】本発明の録画システムの構成図である。
【図４】本発明の第１の実施例の録画予約管理部の処理フロー図である。
【図５】本発明の第２の実施例の録画予約管理部の処理フロー図である。
【図６】本発明の第２の実施例の録画予約管理部の他の処理フロー図である。
【図７】本発明の第３の実施例のコンテンツ情報管理部の処理フロー図である。
【図８】本発明の録画装置の録画予約情報テーブルの例である。
【図９】本発明の録画装置の重複録画情報テーブルの例である。
【図１０】本発明の録画装置のコンテンツ情報テーブルの例である。
【図１１】本発明の実施例の録画システムの録画装置間のシーケンス図である。
【符号の説明】
【００４８】
１１０１…チューナ、入力部１１０２…番組情報取得部、ＣＰＵ１１０３…キーワード情報テーブル、記憶部１１０４…自動録画予約設定部、自動録画予約設定管理部１１０５…録画予約管理部、自動録画予約検索部１１０６…録画予約情報テーブル、通信制御部１１０７…録画制御部、録画予約取得部１１０８…選局制御部、録画予約管理テーブル１１０９…コンテンツ情報管理部、録画予約制御部１１１０…コンテンツ情報テーブル、コンテンツ格納部１１１１…コンテンツデータ格納部、コンテンツ情報管理部１１１２…ネットワーク送受信部記憶メディア管理部
【図１】
2009111539.tif 000003
【図２】
2009111539.tif 000004
【図３】
2009111539.tif 000005
【図４】
2009111539.tif 000006
【図５】
2009111539.tif 000007
【図６】
2009111539.tif 000008
【図７】
2009111539.tif 000009
【図８】
2009111539.tif 000010
【図９】
2009111539.tif 000011
【図１０】
2009111539.tif 000012
【図１１】
2009111539.tif 000013